(57)【要約】【課題】コーナー部分での仕切部材の配置状態を調整する手間をかけること無く、簡易な作業で、見栄えの良い緑化エリア仕切構造を簡易に提供する【解決手段】緑化植物を植栽可能な緑化エリアと非緑化エリアとを直線状に仕切る直線仕切部材と、一対の直線仕切部材に被せられて端部同士を屈曲接続するコーナー部材とを有する緑化エリア仕切構造において、コーナー部材のコーナー上部が直線仕切部材の仕切上部の上側に配置される範囲内、及び収納仕切部材のコーナー側部が直線仕切部材の仕切側部の外側に配置される範囲内において、一対の直線仕切部材の端部同士を任意の配置状態で設置し、それら端部同士間に架け渡すようにコーナー部材を被せて固定する。【選択図】図１
2013123433.tif 000002
【特許請求の範囲】
【請求項１】
緑化植物を植栽可能な緑化エリアの外縁構造に対し或いは前記外縁構造近傍の人工地盤に対して固定されて前記緑化エリアと非緑化エリアとを直線状に仕切る直線仕切部材と、一対の直線仕切部材の端部間に架け渡すように被せられるコーナー部材とを有する人工地盤上の緑化エリア仕切構造であって、
前記直線仕切部材は、
前記緑化エリア側に延設される仕切上部と、
前記仕切上部から屈曲して下方に延設される仕切側部とを有し、
前記コーナー部材は、
前記仕切上部の上側に配置されて前記仕切上部の幅以上に広い幅で前記緑化エリア側に延設されるコーナー上部と、
前記仕切側部の外側に配置されて前記コーナー上部から屈曲して下方に延設されるコーナー側部とを有し、
前記コーナー部材は、前記コーナー上部が前記仕切上部の上側に配置される範囲内および前記コーナー側部が前記仕切側部の外側に配置される範囲内において任意の配置状態で配置された前記一対の直線仕切部材の端部間に架け渡すように被せられると共に、前記一対の直線仕切部材の少なくとも一方に固定されることを特徴とする人工地盤上の緑化エリア仕切構造。
【請求項２】
緑化植物を植栽可能な緑化エリアの外縁構造に対し或いは前記外縁構造近傍の人工地盤に対して固定されて前記緑化エリアと非緑化エリアとを直線状に仕切る直線仕切部材と、一対の直線仕切部材の端部間に架け渡すように被せられるコーナー部材とを有する人工地盤上の緑化エリア仕切構造であって、
前記直線仕切部材は、
前記緑化エリア側に延設される仕切上部と、
前記仕切上部から屈曲して下方に延設される仕切側部とを有し、
前記一対の直線仕切部材のうちの一方が他方よりも幅の狭い幅狭仕切上部を有する幅狭直線仕切部材として形成されると共に、前記他方が前記幅狭仕切上部よりも幅の広い幅広仕切上部を有する幅広直線仕切部材として形成され、
前記コーナー部材は、
前記幅狭仕切上部と前記幅広仕切上部との上側に配置され、前記幅狭仕切上部の幅以上に広い幅で且つ前記幅広仕切上部の幅よりも狭い幅で、前記緑化エリア側に向けて延設されるコーナー上部と、
前記仕切側部の外側に配置されて前記コーナー上部から屈曲して下方に延設されるコーナー側部とを有し、
前記コーナー部材は、前記コーナー上部が前記幅狭直線仕切部材の幅狭仕切上部の上側に配置される範囲内および前記コーナー側部が前記幅狭直線仕切部材の前記仕切側部の外側に配置される範囲内において任意の配置状態の前記幅狭直線仕切部材の端部と、前記コーナー上部及び前記コーナー側部に対して所定の配置状態の前記幅広直線仕切部材の端部との間に架け渡すように被せられると共に、前記幅狭直線仕切部材と前記幅広直線仕切部材との少なくとも一方に固定されることを特徴とする人工地盤上の緑化エリア仕切構造。
【請求項３】
前記幅広直線仕切部材が、内部に配管若しくは配線を収納可能な収納空間を有する収納仕切部材であることを特徴とする、請求項２に記載の人工地盤上の緑化エリア仕切構造。
【請求項４】
緑化植物を植栽可能な緑化エリアの外縁構造に対し或いは前記外縁構造近傍の人工地盤に対して固定されて前記緑化エリアと非緑化エリアとを直線状に仕切る直線仕切部材と、一対の直線仕切部材の端部間に架け渡すように被せられるコーナー部材とを有する人工地盤上の緑化エリア仕切構造であって、
前記直線仕切部材は、
前記緑化エリア側に延設される仕切上部と、前記仕切上部から屈曲して下方に延設される仕切側部とを有すると共に、前記一対の直線仕切部材それぞれの仕切上部が略同じ幅に形成され、
前記コーナー部材は、
前記仕切上部の上側に配置されて前記緑化エリア側に延設されるコーナー上部と、
前記仕切側部の外側に配置されて前記コーナー上部から屈曲して下方に延設されるコーナー側部とを有し、
前記コーナー上部は、
一方の直線仕切部材の前記仕切上部の上側に配置されて前記仕切上部の幅以上に広い幅で前記緑化エリア側に向けて延設される幅広コーナー上部と、
他方の直線仕切部材の前記仕切上部の上側に配置されて前記仕切上部の幅よりも狭い幅で前記緑化エリア側に向けて延設される幅狭コーナー上部とを有し、
前記コーナー側部は、
前記幅広コーナー上部から屈曲して下方に延設されて前記一方の直線仕切部材の前記仕切側部の外側に配置されるコーナー第一側部と、
前記幅狭コーナー上部から屈曲して下方に延設されて前記他方の直線仕切部材の前記仕切側部の外側に配置されるコーナー第二側部とを有し、
前記コーナー部材は、前記幅広コーナー上部が前記仕切上部の上側に配置される範囲内および前記コーナー第一側部が前記仕切側部の外側に配置される範囲内において任意の配置状態の前記一方の直線仕切部材の端部と、前記幅狭コーナー上部及び前記コーナー第二側部に対して所定の配置状態の前記他方の直線仕切部材の端部との間に架け渡すように被せられると共に、前記一方の直線仕切部材と前記他方の直線仕切部材との少なくとも一方に固定されることを特徴とする人工地盤上の緑化エリア仕切構造。
【請求項５】
前記直線仕切部材へ前記コーナー部材を固定した状態において、前記コーナー側部の下端の少なくとも一部が前記人工地盤から離間する、或いは、前記コーナー側部の少なくとも一部が前記仕切側部から離間することで、前記緑化エリアから前記非緑化エリアへと連通する間隙が形成されることを特徴とする請求項１乃至４の何れか１項に記載の人工地盤上の緑化エリア仕切構造。
【請求項６】
前記コーナー部材は、
前記一対の直線仕切部材の両方の端部に固定されることを特徴とする請求項１乃至５の何れか１項に記載の人工地盤上の緑化エリア仕切構造。
【請求項７】
前記直線仕切部材の前記仕切上部と前記コーナー部材の前記コーナー上部とをビスで螺合することで、前記直線仕切部材に対して前記コーナー部材が固定されることを特徴とする請求項１乃至６の何れか１項に記載の人工地盤上の緑化エリア仕切構造。
【請求項８】
請求項１乃至７の何れか１項に記載の緑化エリア仕切構造により緑化エリアと非緑化エリアとが仕切られ、前記緑化エリアに緑化植物が植栽されることで形成された人工地盤上の緑化設備。
【発明の詳細な説明】
【発明の詳細な説明】
【技術分野】
【０００１】  本発明は、建築物の屋上、傾斜屋根、スラブ屋根、折板屋根、折板屋根上に部材を敷いて少なくとも一部を平坦化したもの、ベランダ、バルコニー等の人工地盤上に形成する緑化エリアと非緑化エリアとを仕切る緑化エリア仕切構造、及び緑化設備に関する。
【背景技術】
【０００２】  建築物の屋上、傾斜屋根、スラブ屋根、折板屋根、折板屋根上に部材を敷いて少なくとも一部を平坦化したもの、ベランダ、バルコニー等の人工地盤上に形成する緑化エリアと非緑化エリアとを仕切る仕切構造や緑化設備に関する技術として、特許文献１や特許文献２の緑化設備がある。これら緑化設備は、人工地盤上の一部に植物を植えた緑化ユニットを載置し、緑化ユニットを載置した載置部とその他の床面との境界部に、前記緑化ユニットより高く且つ上部に載置部側に突出する突出部が形成された仕切部を設け、緑化ユニットと仕切部との隙間を隠すものである。【０００３】  特許文献１においては、仕切材は仕切部ピースを連設することによって形成されており、特にコーナー部分用として、側面が４５°の仕切部ピースが成形されている。そして、この４５°成形の仕切部ピースを突き合せることで、仕切材のコーナー部分が形成される構成が開示されている。【０００４】  また、特許文献２では、仕切材の突き合せ箇所の長さが合うように４５°にカットして突き合わせる構成が開示されている。
【先行技術文献】
【特許文献】
【０００５】
【特許文献１】特開平１０−８４７７４
【特許文献２】特開２００６−２４６８３０
【発明の概要】
【発明が解決しようとする課題】
【０００６】  ところで、特許文献１の構成は、定型材として仕切部ピースの大きさが予め決定されているため、コーナー部分で４５°の仕切部ピース同士を突き合せて設置する場合に、緑化ユニットの載置スペースに合わせて微調整することが困難であり、施工が容易ではないという問題がある。また、施工が容易ではない結果としてコーナー部分での突き合せが揃わない状態になってしまうと、美観が損なわれるという問題もある。【０００７】  一方、特許文献２の構成は、コーナーにおける突き合せ箇所の長さが合うように仕切材を４５°にカットするため、緑化エリアに合わせて設置位置を調整することは可能であるが、カットの手間がかかる上に、施工後に再調整するような場合には長さが足りなくなったり再加工が必要になったりと、作業が容易ではないという問題がある。また、緑化エリアに合わせて設置位置を調整することが可能とはいえ、美観を確保するためには、カットした端部同士をある程度厳密に揃えて設置する必要があることは、上記特許文献１と同様である。【０００８】  本発明は上記課題に鑑みて提案するものであって、直線仕切部材の長さを変更したり、配置を精度良く動かしたり、端部形状を加工したりする等の、コーナー部分での直線仕切部材の端部同士の配置状態を調整するための手間をかけること無く、コーナー部分での美観を容易に確保できる緑化エリア仕切構造を提供することを目的とする。また、本発明の目的は、緑化エリア仕切構造のコーナー部分において簡易に美観を確保しつつ、このコーナー部分における排水性能や耐風圧性能を向上させることにある。
【課題を解決するための手段】
【０００９】  本発明の人工地盤上の緑化エリア仕切構造は、緑化植物を植栽可能な緑化エリアの外縁構造に対し或いは外縁構造近傍の人工地盤に対して固定されて緑化エリアと非緑化エリアとを直線状に仕切る直線仕切部材と、一対の直線仕切部材の端部間に架け渡すように被せられるコーナー部材とを有する人工地盤上の緑化エリア仕切構造であって、直線仕切部材は、緑化エリア側に延設される仕切上部と、仕切上部から屈曲して下方に延設される仕切側部とを有し、コーナー部材は、仕切上部の上側に配置されて仕切上部の幅以上に広い幅で緑化エリア側に延設されるコーナー上部と、仕切側部の外側に配置されてコーナー上部から屈曲して下方に延設されるコーナー側部とを有し、コーナー部材は、コーナー上部が仕切上部の上側に配置される範囲内およびコーナー側部が仕切側部の外側に配置される範囲内において任意の配置状態で配置された一対の直線仕切部材の端部間に架け渡すように被せられると共に、一対の直線仕切部材の少なくとも一方に固定されることを特徴とする。【００１０】  この構成によれば、本発明の人工地盤上の緑化エリア仕切構造は、一対の直線仕切部材の長さを変更したり、高さや角度を厳密に合わせたり、端部形状を加工したりする等の、コーナー部分での直線仕切部材の端部同士の配置状態を調整するための手間をかけること無く、一対の直線仕切部材の端部間にコーナー部材を架け渡すように被せて固定するだけの簡易な作業で、見栄えの良い緑化エリア仕切構造を簡易に提供することができる。【００１１】  また、緑化エリア仕切構造を一度設置した後の再調整や緑化エリア仕切構造を仮設置してから本設置するような場合に、直線仕切部材の端部にコーナー部材が被さっている範囲内において、緑化エリア仕切構造を簡易に設置し直すことができる。【００１２】  さらに、本発明の人工地盤上の緑化エリア仕切構造は、緑化植物を植栽可能な緑化エリアの外縁構造に対し或いは外縁構造近傍の人工地盤に対して固定されて緑化エリアと非緑化エリアとを直線状に仕切る直線仕切部材と、一対の直線仕切部材の端部間に架け渡すように被せられるコーナー部材とを有する人工地盤上の緑化エリア仕切構造であって、  直線仕切部材は、緑化エリア側に延設される仕切上部と、仕切上部から屈曲して下方に延設される仕切側部とを有し、一対の直線仕切部材のうちの一方が他方よりも幅の狭い幅狭仕切上部を有する幅狭直線仕切部材として形成されると共に、他方が幅狭仕切上部よりも幅の広い幅広仕切上部を有する幅広直線仕切部材として形成され、コーナー部材は、幅狭仕切上部と幅広仕切上部との上側に配置され、幅狭仕切上部の幅以上に広い幅で且つ幅広仕切上部の幅よりも狭い幅で、緑化エリア側に向けて延設されるコーナー上部と、仕切側部の外側に配置されてコーナー上部から屈曲して下方に延設されるコーナー側部とを有し、コーナー部材は、コーナー上部が幅狭直線仕切部材の幅狭仕切上部の上側に配置される範囲内およびコーナー側部が幅狭直線仕切部材の仕切側部の外側に配置される範囲内において任意の配置状態の幅狭直線仕切部材の端部と、コーナー上部及びコーナー側部に対して所定の配置状態の幅広直線仕切部材の端部との間に架け渡すように被せ��れると共に、幅狭直線仕切部材と幅広直線仕切部材との少なくとも一方に固定されることを特徴とする。【００１３】  この構成によれば、本発明の人工地盤上の緑化エリア仕切構造は、幅狭直線仕切部材の長さを変更したり、高さを厳密に合わせたり、端部形状を加工したりする等の、コーナー部分での幅狭直線仕切部材の配置状態を調整するための手間をかけること無く、幅狭直線仕切部材の端部と幅広直線仕切部材の端部との間（一対の直線仕切部材の端部間）にコーナー部材を架け渡すように被せて固定するだけの簡易な作業で、見栄えの良い緑化エリア仕切構造を簡易に提供することができる。【００１４】  また、緑化エリア仕切構造を一度設置した後の再調整や緑化エリア仕切構造を仮設置してから本設置するような場合に、幅狭直線仕切部材の端部にコーナー部材が被さっている範囲内において、緑化エリア仕切構造を簡易に設置し直すことができる。【００１５】  さらに、本発明の人工地盤上の緑化エリア仕切構造は、幅広直線仕切部材が、内部に配管若しくは配線を収納可能な収納空間を有する収納仕切部材であることを特徴とする。【００１６】  この構成によれば、内部に収納空間を有する収納仕切部材の端部と直線仕切部材の端部とにより形成されるコーナー部分において、幅狭直線仕切部材（すなわち通常の直線仕切部材）の長さを変更したり、配置を精度良く動かしたり、端部形状を加工したりする等の、コーナー部分での直線仕切部材の配置状態を調整するための手間をかけること無く、直線仕切部材の端部と収納仕切部材の端部との間（一対の直線仕切部材の端部間）にコーナー部材を架け渡すように被せて固定するだけの簡易な作業で、見栄えの良い緑化エリア仕切構造を簡易に提供することが出来る。特に、収納仕切部材は、収納空間を有するため構造が複雑であり、配置の調整、端部形状の加工等の手間は直線仕切部材よりも大きいため、その手間を省略できることは施工面やコスト面において効果的である。【００１７】さらに、本発明の人工地盤上の緑化エリア仕切構造は、緑化植物を植栽可能な緑化エリアの外縁構造に対し或いは外縁構造近傍の人工地盤に対して固定されて緑化エリアと非緑化エリアとを直線状に仕切る直線仕切部材と、一対の直線仕切部材の端部間に架け渡すように被せられるコーナー部材とを有する人工地盤上の緑化エリア仕切構造であって、
直線仕切部材は、
緑化エリア側に延設される仕切上部と、仕切上部から屈曲して下方に延設される仕切側部とを有すると共に、一対の直線仕切部材それぞれの仕切上部が略同じ幅に形成され、
コーナー部材は、
仕切上部の上側に配置されて緑化エリア側に延設されるコーナー上部と、仕切側部の外側に配置されてコーナー上部から屈曲して下方に延設されるコーナー側部とを有し、コーナー上部は、一方の直線仕切部材の仕切上部の上側に配置されて仕切上部の幅以上に広い幅で緑化エリア側に向けて延設される幅広コーナー上部と、他方の直線仕切部材の仕切上部の上側に配置されて仕切上部の幅よりも狭い幅で緑化エリア側に向けて延設される幅狭コーナー上部とを有し、コーナー側部は、幅広コーナー上部から屈曲して下方に延設されて一方の直線仕切部材の仕切側部の外側に配置されるコーナー第一側部と、幅狭コーナー上部から屈曲して下方に延設されて他方の直線仕切部材の仕切側部の外側に配置されるコーナー第二側部とを有し、コーナー部材は、幅広コーナー上部が仕切上部の上側に配置される範囲内およびコーナー第一側部が仕切側部の外側に配置される範囲内において任意の配置状態の一方の直線仕切部材の端部と、幅狭コーナー上部及びコーナー第二側部に対して所定の配置状態の他方の直線仕切部材の端部との間に架け渡すように被せられると共に、一方の直線仕切部材と他方の直線仕切部材との少なくとも一方に固定されることを特徴とする。【００１８】  この構成によれば、本発明の人工地盤上の緑化エリア仕切構造は、幅広コーナー上部が被さっている一方の直線仕切部材の長さを変更したり、高さを厳密に合わせたり、端部形状を加工したりする等の、コーナー部分での一方の直線仕切部材の端部同士の配置状態を調整するための手間をかけること無く、一方の直線仕切部材の端部と他方の直線仕切部材の端部との間（一対の直線仕切部材の端部間）にコーナー部材を架け渡すように被せて固定するだけの簡易な作業で、見栄えの良い緑化エリア仕切構造を提供することができる。【００１９】  また、緑化エリア仕切構造を一度設置した後の再調整や緑化エリア仕切構造を仮設置してから本設置するような場合に、一方の直線仕切部材の端部にコーナー部材の幅広コーナー上部が被さっている範囲内において、緑化エリア仕切構造を簡易に設置し直すことができる。【００２０】  さらに、本発明の人工地盤上の緑化エリア仕切構造は、直線仕切部材へコーナー部材を固定した状態において、コーナー側部の下端の少なくとも一部が人工地盤から離間する、或いは、コーナー側部の少なくとも一部が仕切側部から離間することで、緑化エリアから非緑化エリアへと連通する間隙が形成されることを特徴とする。【００２１】  この構成によれば、直線仕切部材やコーナー部材に開口を別途設けなくても、コーナー部材を設置するだけで緑化エリアから非緑化エリアへと連通する間隙が形成され、この間隙から緑化エリア内の余剰水を排水できる。また、この間隙は、緑化エリア仕切構造において風圧の集中するコーナー部分の風の逃げ道ともなるため、耐風圧性能を向上させることができる。【００２２】  さらに、本発明の人工地盤上の緑化エリア仕切構造は、コーナー部材が、一対の直線仕切部材の両方の端部に固定されることを特徴とする。【００２３】  この構成によれば、一対の直線仕切部材の端部同士をコーナー部材によって屈曲接続して固定することができ、踏圧や風圧といった外力に対する緑化エリア仕切構造の強度を向上することができる。【００２４】  さらに、本発明の人工地盤上の緑化エリア仕切構造は、直線仕切部材の仕切上部とコーナー部材のコーナー上部とをビスで螺合することで、直線仕切部材に対してコーナー部材が固定されることを特徴とする。【００２５】  この構成によれば、直線仕切部材にコーナー部材を被せた後、これらの上側からビスを打つという簡易な作業によって、直線仕切部材に対してコーナー部材を固定することができる。【００２６】  さらに、本発明の人工地盤上の緑化エリア仕切構造により緑化エリアと非緑化エリアとが仕切られ、緑化エリアの緑化エリア仕切構造側に緑化植物を植栽することで形成された人工地盤上の緑化設備は、一対の直線仕切部材の長さを変更したり、端部形状を加工したり、高さや角度を厳密に合わせたりする等の、コーナー部分での直線仕切部材の端部同士の配置状態を調整するための手間をかけること無く、一対の直線仕切部材の端部間にコーナー部材を架け渡すように被せて固定するだけの簡易な作業で、見栄えの良い緑化エリア仕切構造を簡易に提供することができると共に、緑化設備を一度設置した後の再調整や緑化エリア仕切構造を仮設置してから本設置するような場合に、直線仕切部材の端部にコーナー部材が被さっている範囲内において、簡易に設置し直すことができる。
【発明の効果】
【００２７】  本発明の人工地盤上の緑化エリア仕切構造は、一対の直線仕切部材の長さを変更したり、端部形状を加工したり、高さや角度を厳密に合わせたりする等の、コーナー部分での直線仕切部材の端部同士の配置状態を調整するための手間をかけること無く、一対の直線仕切部材の端部間にコーナー部材を架け渡すように被せて固定するだけの簡易な作業で、見栄えの良い緑化エリア仕切構造を簡易に提供することができる。【００２８】  また、緑化エリア仕切構造を一度設置した後の再調整や緑化エリア仕切構造を仮設置してから本設置するような場合に、直線仕切部材の端部にコーナー部材が被さっている範囲内において、緑化エリア仕切構造を簡易に設置し直すことができる。
【図面の簡単な説明】
【００２９】
【図１】（ａ）はコーナー部材の平面図、（ｂ）及び（ｃ）はその側面図、（ｄ）はその斜視図。
【図２】（ａ）は緑化設備の全体図、（ｂ）は第一実施形態のコーナー仕切構造の拡大図、（ｃ）は第二実施形態のコーナー仕切構造の拡大図。
【図３】（ａ）は図２のＡ−Ａ部分の模式断面図、（ｂ）はその直線仕切部材部分の拡大図、（ｃ）はその収納仕切部材部分の拡大図。
【図４】（ａ）は直線仕切部材の斜視図、（ｂ）はその平面図、（ｃ）はその側面図、（ｄ）はその正面図。
【図５】（ａ）は第一実施形態のコーナー仕切構造へのコーナー部材の取付前の平面図、（ｂ）はその斜視図、（ｃ）はコーナー部材取付後の平面図、（ｄ）はその斜視図。
【図６】（ａ）は収納仕切部材の斜視図、（ｂ）はその平面図、（ｃ）はその側面図、（ｄ）はその正面図。
【図７】（ａ）は第二実施形態のコーナー仕切構造へのコーナー部材取付前の斜視図、（ｂ）はその平面図、（ｃ）はコーナー部材取付後の斜視図、（ｄ）はその平面図。
【図８】（ａ）は第三実施形態のコーナー部材の平面図、（ｂ）及び（ｃ）はその側面図、（ｄ）はその斜視図。
【図９】（ａ）は第三実施形態のコーナー仕切構造へのコーナー部材取付前の平面図、（ｂ）はその斜視図、（ｃ）はコーナー部材取付後の平面図、（ｄ）はその斜視図。
【図１０】（ａ）は他の実施形態のコーナー部材の平面図、（ｂ）及び（ｃ）はその側面図、（ｄ）はその斜視図。
【図１１】（ａ）は他の実施形態のコーナー部材の平面図、（ｂ）及び（ｃ）はその側面図、（ｄ）はその斜視図。
【図１２】（ａ）は他の実施形態のコーナー部材の平面図、（ｂ）及び（ｃ）はその側面図、（ｄ）はその斜視図。
【図１３】（ａ）は入隅用のコーナー部材の平面図、（ｂ）及び（ｃ）はその側面図、（ｄ）はその斜視図。
【図１４】（ａ）は一対の直線仕切部材同士の入隅部分へのコーナー部材取付前の平面図、（ｂ）はその斜視図、（ｃ）はコーナー部材取付後の平面図、（ｄ）はその斜視図。
【図１５】（ａ）は直線仕切部材と収納仕切部材３０との入隅部分へのコーナー部材取付前の平面図、（ｂ）はその斜視図、（ｃ）はコーナー部材取付後の平面図、（ｄ）はその斜視図。
【図１６】（ａ）は他の実施形態のコーナー部材取付後の平面図、（ｂ）はその斜視図、（ｃ）は（ａ）のＢ−Ｂ部分の模式断面図。
【図１７】（ａ）は他の実施形態のコーナー仕切構造へのコーナー部材取付前の斜視図、（ｂ）はその平面図、（ｃ）はコーナー部材取付後の斜視図、（ｄ）はその平面図。
【図１８】（ａ）は他の実施形態のコーナー仕切構造へのコーナー部材取付後の斜視図、（ｂ）はその平面図。
【発明を実施するための形態】
【００３０】  以下、本発明について緑化設備の実施例に基づき説明する。図１〜図６は緑化エリア仕切構造に関し、図１はコーナー部材を示す図、図２は緑化エリアと緑化エリア仕切構造の全体を示す平面図、図３は図２のＡ−Ａ断面を示す図、図４は直線仕切部材を示す図、図５はコーナー部分へのコーナー部材を取り付けた状態を示す図、図６は直線仕切部材の別形態である収納仕切部材を示す図である。
【００３１】  まず、本発明による緑化エリア１の一例について、図２及び図３を用いて説明する。緑化エリア１は、図２（ａ）に示すように、平面視正方形状の緑化ユニット１０が碁盤目状に並べられて全体として平面視矩形に形成されている。そして緑化エリア１の四辺のうちの隣接する二辺の直線部分に直線仕切部材２０が、残りの二辺の直線部分に収納仕切部材３０が設置されることで、緑化エリア１とそれ以外（非緑化エリア）とを仕切っている。尚、緑化エリア１は全体として平面視矩形でなくても良く、緑化ユニット１０の配置によって各種形状が適用可能である。
【００３２】  また、直線仕切部材２０の端部同士が平面視で略９０°の角度で突き合わされるようにして配置されたコーナー仕切構造２（図２（ｂ））において、これら直線仕切部材２０の端部間に架け渡されるようにコーナー部材４０が被せられている。さらに、直線仕切部材２０と収納仕切部材３０の端部同士が平面視で略９０°の角度で突き合わされるようにして配置されたコーナー仕切構造３（図２（ｃ））において、これら直線仕切部材２０の端部と収納仕切部材３０の端部との間に架け渡されるようにコーナー部材４０が被せられている。さらに、収納仕切部材３０の端部同士が平面視で略９０°の角度で突き合わされるようにして配置されたコーナー仕切構造４において、これら収納仕切部材３０の端部間に架け渡されるようにコーナー部材５０が被せられている。
【００３３】  尚、「突き合わされるようにして配置」とは、直線仕切部材２０や収納仕切部材３０の端部を所定角度（この場合、略９０°）の位置関係で当接した状態、或いは間隔を空けた状態で配置されることを指し、以下においても同様である。また、「架け渡されるように被せる」とは、例えば、一対の直線仕切部材２０の端部同士が当接していても離間していても、それら端部両方の上方にコーナー部材４０が被さっていることを指し、直線仕切部材２０とコーナー部材４０とが当接していても僅かに離間していても、被さっているという点においては同義であるものとし、以下においても同様である。
【００３４】  このようにして、緑化エリア１は、複数の緑化ユニット１０を碁盤目状に並べることで任意形状に形成され、その周囲を各仕切部材（直線仕切部材２０、収納仕切部材３０、コーナー部材４０、コーナー部材５０等）を組み合わせることで形成された緑化エリア仕切構造によって非緑化エリアと仕切ることにより形成されている。また、これら複数の緑化ユニット１０からなる緑化エリア１と緑化エリア仕切構造とを含む全体的な構造が、人工地盤上に形成された緑化設備となる。
【００３５】  ここで緑化ユニット１０は底面給水型であり、図３に示すように、側壁１１ａと底面１１ｂとを有する上面開放の略箱形である植栽部１１と、植栽部１１の下方に設けられ、側壁１２ａと底面１２ｂとを有する上面開放の貯水部１２とで構成される。
【００３６】  植栽部１１は、その側壁１１ａに内向きへこみ部１１ｃが形成されている。隣接する植栽部１１・１１の内向きへこみ部１１ｃ・１１ｃ相互間で、且つ貯水部１２の側壁１２ａの上方位置に空間１４が形成され、空間１４に多孔質の給水管１５或いは配線等を配設可能であり、空間１４に給水管１５や配線を配設して優れた美観を確保することができる。
【００３７】  植栽部１１の側壁１１ａの隣り合う二辺には、側壁１１ａの略中央上端付近に外方へ突出する略鉤形等の突出片が形成され、側壁１１ａの他の隣り合う二辺には、側壁１１ａの略中央上端付近に凹部が形成されており、植栽部１１の突出片を隣り合う植栽部１１の凹部へ係合して、隣り合う植栽部１１・１１相互が連係されている（図示せず）。植栽部１１の底面１１ｂには、余剰水を配水可能で、且つ植物の根に空気を与えるための通水兼通気孔が複数穿設され（図示せず）、又、底面１１ｂには、中空で下端頂面に図示しない吸水孔が穿設された吸水凸部１１ｄが下方に突出して四つ形成されていると共に、底面下方へ吸水凸部１１ｄよりも僅かに長く突出した脚部１７が形成されている。
【００３８】  植栽部１１には育成材１８が充填され、例えば種子を蒔く・切芝を敷設する・植栽マットを敷設する・植物の苗を施す等により、植物１９が植栽される。育成材１８には、植物１９を栽培可能な適宜のものを用いることが可能であり、例えばパーライト、バーミキュウライト、ピートモス、バーク堆肥、チャフコン、木質腐朽有機物、ゼオライト、下水や浄水場から発生する汚泥、或いは汚泥の焼却灰等とすることができ、又、これらの内の数種類を選定し、必要に応じて根腐れ防止用の珪酸塩白土等を植物の種類、環境等に応じて適宜選定し、これらを保水性、排水性を良好にするためにバランス良く配合したもの、又、これらを単体で若しくは配合して固化しブロック状にした軽量育成材や、スポンジやヤシガラ繊維、不織布等の繊維材等の軽量育成材等としてもよい。前記通気性良好な軽量育成材を育成材１８として採用することにより、植物１９の根が傷むことを防止することができ、又、これらの軽量育成材の重量は客土の約１／３以下であることから、人工地盤への荷重負荷を軽減することが可能である。
【００３９】  また、貯水部１２は、低い側壁１２ａを有するトレー状であり、側壁１２ａの四辺には側壁上端に外方に突出する鉤形連係部が形成されており、一方の隣り合う二辺には突出する幅が広い幅広連係部１２ｃが形成され、他の隣り合う二辺には突出する幅が狭い幅狭連係部１２ｄが形成されている。貯水部１２の幅狭連係部１２ｄを覆うように隣の貯水部１２の幅広連係部１２ｃを上方から係合することにより、隣り合う貯水部１２・１２相互を連係可能である。
【００４０】  上記植栽部１１は貯水部１２の底面１２ｂに脚部１７を配置して貯水部１２に載置される。植栽部１１を貯水部１２に載置した状態では、吸水凸部１１ｄの下端頂面と貯水部底面１２との間に隙間が形成され、図示しない吸水孔から良好な吸水を行うことが可能になっている。尚、貯水部側壁１２ａの上端或いは幅広連係部１２ｃ、幅狭連係部１２ｄに切欠を設ける、又は貯水部側壁１２ａの高さを低くする等により、貯水部１２の最大貯水時の水位を植栽部底面１１ｂより下方に位置させる構成とすると、植栽部底面１１ｂと貯水部１２に貯水される水との間に空気層を常時確保し、新鮮な空気を植物１９の根へ与えることが可能になって好適である。
【００４１】  そして、このように上記植栽部１１と貯水部１２とで構成される緑化ユニット１０を、貯水部１２の幅広連係部１２ｃ、幅狭連係部１２ｄを係合し且つ植栽部１１の上記突出片と凹部を係合しながら連係して、建築物の屋上、傾斜屋根、スラブ屋根、折板屋根、折板屋根上に部材を敷いて少なくとも一部を平坦化したもの、ベランダ、バルコニー等の人工地盤上に順次並べて敷設すると共に、空間１４の貯水部１２・１２の隣接する側壁１２ａ・１２ａの上方位置等に多孔質の給水管１５を配設し、給水管１５を中心に両側の貯水部１２・１２に水分や養分等を供給可能にして、緑化エリア１を構成する。尚、緑化ユニット１０は、一つの貯水部１２の上に植栽部１１を載置するタイプだけでなく、一つの貯水部１２の上に複数の植栽部１１を載置するタイプのものや、底面給水タイプでなく、単なるコンテナに土壌を充填して植栽を載せたものや、人工地盤１００上に大きな区画を形成してその中に客土を充填して植栽を載せたもの等、各種構成のユニットを適用できる。
【００４２】  次に、緑化エリア１と非緑化エリアとを仕切る緑化エリア仕切構造の各仕切部材について説明する。
【００４３】  直線仕切部材２０は、緑化エリア１端縁の直線部分に沿って配設される部材であり、図２〜４に示すように、緑化エリア１側（すなわち緑化ユニット１０が設置されている方向）に幅が延設される仕切上部２１と、この仕切上部２１の非緑化エリア側の端部から屈曲して下方に延設される仕切側部２２とを有している。
【００４４】  仕切上部２１は、断面視で略Ｌ字形の中空構造になっており、その上面には、直線仕切部材２０を緑化ユニット１０に固定する際のビスを穿つためのガイド及び補強となることを目的としての凹溝２１ａが形成されている。また、凹溝２１ａの下部には、凹溝２１ａに穿たれたビスを下方の緑化ユニット１０に導くためのガイド突起２１ｂが複数形成されている。
【００４５】  仕切側部２２には、内壁から緑化エリア１側に向けて、補強片２２ａ・２２ｂ・２２ｃが突出している。これら補強片２２ａ・２２ｂ・２２ｃのうち、２２ａ・２２ｂは、間に短冊状部材を挿入できるようになっており、複数の直線仕切部材２０を連続して設置する際に、短冊状を介して直線仕切部材２０同士を連結できるようにもなっている。
【００４６】  尚、直線仕切部材２０の形状は、仕切上部２１と仕切側部２２とに対応する部位が備わっているのであれば適宜であり、仕切上部２１の上面が断面視で円弧形状のもの、仕切側部２２が断面視で中空構造のもの、凹溝２１ａの配置や数が異なるもの、補強片２２ａ・２２ｂ・２２ｃの配置や数が異なるもの等、使用用途に合わせて適宜選択できるものとする。
【００４７】  このような構成の直線仕切部材２０は、図３（ｂ）に示すように、緑化ユニット１０の植栽部１１の側壁１１ａの上部に仕切上部２１が載置された状態で、図示しないビスや接着剤等の固定手段によって緑化ユニット１０に固定され、前記固定状態で、緑化エリア１端部における緑化ユニット１０の側面と側面の上端縁とを覆う構成である。このとき、仕切側部２２の下端縁と人工地盤１００との間には間隙７０が形成されており、この間隙７０が、貯水部１２からのオーバーフロー水を排出する排水部や、植栽部１１と貯水部１２との間を吹き抜ける風による風圧を逃がす通風部として機能する。
【００４８】  一方、収納仕切部材３０は、内部に給水本管１３や配線等を収納可能なタイプの直線仕切部材であり、図３及び図６に示すように、給水本管１３や配線等を収納する内部空間及びこの収納空間上部と外部とを繋ぐ開口を有する収納ベース３１と、この収納ベース３１の上部に配置されて収納ベース３１の開口を塞ぐ収納カバー３２とから構成されており、収納ベース３１の開口が収納カバー３２で塞がれた状態において全体として断面視略ロ形の形状を有する。
【００４９】  収納ベース３１は、緑化ユニット１０の貯水部１２に対して水を供給する給水管１５の高さに合わせて底面３１ａが底上げされていると共に、緑化エリア１側の側面には、幅広連係部１２ｃや幅狭連係部１２ｄを係合可能な係合突部３１ｂが設けられている。
【００５０】  収納カバー３２は、緑化エリア１側（すなわち緑化ユニット１０が設置されている方向）に延設される仕切上部３３と、この仕切上部３３の端部から屈曲して下方に延設される仕切側部３４とを有しており、全体として断面視で略Ｌ型に形成されている。また、仕切上部３３の下部には、補強片３３ａが複数形成されている。
【００５１】  尚、収納仕切部材３０の形状は、仕切上部３３と仕切側部３４とに対応する部位が備わっているのであれば何でも良く、収納ベース３１と収納カバー３２とが一体に形成されたもの、収納ベース３１の緑化エリア１側の壁が無いもの、収納ベース３１が無く仕切上部３３の緑化エリア１側の端部が緑化ユニット１０に固定されることで人工地盤１００との間に収納空間を形成できるもの等、使用用途に合わせて適宜選択できるものとする。
【００５２】  このような構成の収納仕切部材３０は、図３（ｃ）に示すように、緑化ユニット１０の植栽部１１の側壁１１ａの外側（非緑化エリア側）の人工地盤１００上に、図示しないビスや接着剤等の固定手段によって収納ベース３１が断続的に固定され、その上に収納カバー３２が被せられてビスや接着剤等で固定される。この収納仕切部材３０は、緑化ユニット１０に当接するように或いは僅かに離間するようにして設置されることにより、緑化エリア１端部における緑化ユニット１０の側面を覆う構成である。このとき、収納カバー３２の仕切側部３４の下端縁と人工地盤１００との間には図示しない間隙が形成されていることにより、収納ベース３１の断続部分とこの間隙とが、貯水部１２からのオーバーフロー水を排出する排水部や、植栽部１１と貯水部１２との間を吹き抜ける風による風圧を逃がす通風部として機能する。
【００５３】  このようにして緑化エリア仕切構造における直線部分では、直線仕切部材２０や収納仕切部材３０を用いて緑化エリア１と非緑化エリアとを仕切るようになされている。
【００５４】  尚、本実施例においては一例として、直線仕切部材２０の仕切上部２１は、収納仕切部材３０の仕切上部３３よりも幅狭に形成されている。換言すれば、収納仕切部材３０の仕切上部３３は、直線仕切部材２０の仕切上部２１よりも幅広に形成されている。すなわち、直線仕切部材２０が幅狭直線仕切部材、仕切上部２１が幅狭仕切上部、収納仕切部材３０が幅広直線仕切部材、仕切上部３３が幅広仕切上部でもあることを意味している。
【００５５】  次に、人工地盤上の緑化エリア仕切構造におけるコーナー部分（以下、これをコーナー仕切構造とも称す）について、実施形態で分けて順に説明する。
【００５６】〔第一実施形態のコーナー仕切構造〕
まず、第一実施形態のコーナー仕切構造２について、図１、図２及び図５を用いて説明する。この第一実施形態のコーナー仕切構造２は、図２（ｂ）に示すように、緑化エリア仕切構造の出隅部分であり、一対の直線仕切部材２０の端部間にコーナー部材４０を架け渡すように被せて構成されている。尚、この一対の直線仕切部材２０は同構成であるため、それぞれの仕切上部２１の幅は基本的に同一であるものの、設計誤差や製造誤差の程度のずれがある。
【００５７】  コーナー部材４０は、図１、図２及び図５に示すように、緑化エリア１側（すなわち緑化ユニット１０が設置されている方向）に直線仕切部材２０の仕切上部２１の幅以上の幅に延設された平面視略９０°屈曲のＬ字形のコーナー上部４１と、このコーナー上部４１の非緑化エリア側の端部から屈曲して略９０°下方に延設される平面視略９０°屈曲のＬ字形のコーナー側部４２とを有しており、例えば例えば鉄やアルミ、ガルバリウム等の金属板を折り曲げ加工やプレス成型したり、アルミ押出成形部材を組み合わせたり、硬質で弾性を有する高分子樹脂等で一体的に形成したり、木材やＦＲＰ（Ｇｌａｓｓ  ｆｉｂｅｒ  ｒｅｉｎｆｏｒｃｅｄ  ｐｌａｓｔｉｃｓ）等の部材を複数組み合わせる等して出隅用途に形成されている。
【００５８】  コーナー仕切構造２において一対の直線仕切部材２０は、図５（ａ）（ｂ）に示すように、例えば、それぞれの仕切側部２２の延長線同士が交わる交点Ｐ１の角度αが略９０°になるように、且つ、交点Ｐ１から一対の直線仕切部材２０それぞれまでの距離Ｌ１・Ｌ２がコーナー側部４２の内壁の幅Ｓ１（図１）以下になるような出隅の配置状態で、図示しない緑化ユニット１０に対して固定される。尚、交点Ｐ１の角度αが略９０°というのは、一対の直線仕切部材２０の端部間にコーナー部材４０を被せたときに、平面視においてコーナー上部４１の緑化エリア１側から仕切上部２１がはみ出さない程度の角度範囲を含むものである。換言すれば、一対の直線仕切部材２０の端部間にコーナー部材４０を被せたときに、平面視においてコーナー上部４１の緑化エリア１側から仕切上部２１がはみ出さない程度であれば、交点Ｐ１の角度αが９０°以外の角度であっても良く、この点において、コーナー仕切構造２の自由度はとても高い。
【００５９】  そして、図５（ｃ）（ｄ）に示すように、このような出隅の配置状態で緑化ユニット１０に固定した直線仕切部材２０に対して、その端部間に架け渡すようにコーナー部材４０を被せて固定する。このとき、コーナー部材４０は、直線仕切部材２０の仕切上部２１の上側にコーナー上部４１の一部が配置されると共に、直線仕切部材２０の仕切側部２２の外側にコーナー側部４２の一部が配置され、コーナー上部４１に設けられたビス孔４３に通したビスを直線仕切部材２０の仕切上部２１に螺合することで、直線仕切部材２０に固定される。
【００６０】  尚、コーナー部材４０は、一対の直線仕切部材２０の両方に固定しても良いし、どちらか一方にのみ固定しても良く、両方に固定するのであれば、一対の直線仕切部材２０同士をコーナー部材４０によって屈曲連結することができ、踏圧や風圧といった外力に対するコーナー仕切構造２の強度を向上することができるし、一方にのみ固定するのであれば、施工性に優れるという利点がある。従って、例えば、緑化ユニット１０への設置後の一対の直線仕切部材２０の高さがずれている様な場合には、コーナー部材４０を一対の直線仕切部材２０の端部間に傾けて架け渡して両方の直線仕切部材２０に対して固定しても良いし、高い方の直線仕切部材２０にのみ固定して、低い方の直線仕切部材２０とコーナー部材４０との間に隙間がある状態で施工を完了させても良い。また、直線仕切部材２０に対するコーナー部材４０の固定は、コーナー側部４２にビス孔を設けて直線仕切部材２０の仕切側部２２にビスを螺合しても良いし、接着剤で固定しても良いし、直線仕切部材２０とコーナー部材４０とに係合用の凹凸を予め形成しておいても良く、適宜選択できるものとする。
【００６１】  このようにして、コーナー仕切構造２では、コーナー部材４０のコーナー上部４１によって直線仕切部材２０の仕切上部２１の端部が平面視で隠される範囲内、且つ、コーナー部材４０のコーナー側部４２によって直線仕切部材２０の仕切側部２２の端部の少なくとも上部が側面視で隠される範囲内、且つ、一対の直線仕切部材２０同士が９０°程度の角度で配置される範囲内において、一対の直線仕切部材２０を任意の配置状態で緑化ユニット１０に固定することができると共に、そのようにして固定された一対の直線仕切部材２０に対してコーナー部材４０を被せて固定するだけの簡易な作業で施工が完了する。
【００６２】  従って、コーナー仕切構造２において、直線仕切部材２０の長さを変更したり、一対の直線仕切部材２０同士の相互間の角度を厳密に９０°に合わせたり、高さを厳密に合わせたり、端部形状を４５°等の所定角度に加工したりする等の、コーナー部分での直線仕切部材２０の端部同士の配置状態を調整するための手間をかけること無く、直線仕切部材２０を緑化ユニット１０に固定することができると共に、直線仕切部材２０を固定した後には、一対の直線仕切部材２０の端部間にコーナー部材４０を架け渡すように被せて固定するだけの簡易な作業で、見栄えの良い緑化エリア仕切構造を簡易に提供することができる。
【００６３】  また、例えば、緑化エリア仕切構造を一度設置した後の再調整や、緑化エリア仕切構造を仮設置してから本設置するような施工をする場合に、直線仕切部材２０の端部にコーナー部材４０が被さっている範囲内において、緑化エリア仕切構造を簡易に設置し直すことができる。
【００６４】  尚、本実施形態において、コーナー部材４０のコーナー側部４２によって直線仕切部材２０の仕切側部２２の端部の少なくとも上部が側面視で隠されるようにした場合について述べたが、コーナー部材４０のコーナー側部４２によって直線仕切部材２０の仕切側部２２の端部の全体が側面視で隠されるようにしても良い。ただ、仕切側部２２の端部の下部は、人工地盤１００に近い部位であり、この部分が多少外部に露出した程度では全体の美観を損ない難いという側面もあるため、仕切側部２２の端部の少なくとも上部が側面視でコーナー側部４２によって隠されれば良いものとする。また、例えば、緑化エリア仕切構造の仮設置状態において、一対の直線仕切部材２０の端部間にコーナー部材４０を被せられない程に直線仕切部材２０同士の配置状態がずれている場合、コーナー部材４０を被せられる程度に直線仕切部材２０を切断すれば良い。すなわち、直線仕切部材２０の長さを所望の緑化エリア１の形状に厳密に合わせて切断するような手間をかける必要はなく、コーナー部材４０が被さる範囲内に収まるように大まかに切断すれば良いため、このように切断を介した作業をする場合であっても作業性に優れるという利点がある。
【００６５】  かかる構成に加え、コーナー仕切構造２では、コーナー部材４０の直線仕切部材２０への固定状態においてコーナー側部４２の下端と人工地盤１００との間に間隙８０が形成されるように、コーナー側部４２の高さが設定されている。従って、この間隙８０が、緑化エリア１内の余剰水を排出する排水部として機能する。また、この間隙８０は、緑化エリア１内（例えば、緑化ユニット１０の植栽部１１と貯水部１２との間）を吹き抜ける風による風圧が集中し易いコーナー部分において、この風圧を逃がす通風部としても機能するため、緑化エリア仕切構造の耐風圧性能を向上することもできる。
【００６６】  尚、この第一実施形態のコーナー仕切構造２においては、一対の直線仕切部材２０と人工地盤１００の間のそれぞれの間隙７０と、コーナー部材４０と人工地盤１００の間の間隙８０との３つが形成されている実施形態を示しているが、少なくともそのうちの一つが形成されていれば良いものである。
【００６７】〔第二実施形態のコーナー仕切構造〕
次に、第二実施形態のコーナー仕切構造３について、図１、図２及び図７を用いて説明する。この第二実施形態のコーナー仕切構造３は、図２（ｃ）の出隅部分であり、直線仕切部材２０の端部と収納仕切部材３０の端部との間に、上述のコーナー部材４０を架け渡すように被せて構成されている。すなわち、この第二実施形態では、直線仕切部材２０が、収納仕切部材３０の仕切上部３３に比べて幅が狭い幅狭仕切上部（仕切上部２１）を有する幅狭直線仕切部材に相当すると共に、収納仕切部材３０が、直線仕切部材２０の仕切上部２１に比べて幅の広い幅広仕切上部（仕切上部３３）を有する幅広直線仕切部材に相当する。
【００６８】  コーナー仕切構造３において、直線仕切部材２０及び収納仕切部材３０は、図７（ａ）（ｂ）に示すように、例えば、仕切側部２２及び仕切側部３４の延長線同士が交わる交点Ｐ２の角度βが略９０°になるように、且つ、交点Ｐ２から直線仕切部材２０までの距離Ｌ３がコーナー側部４２の内壁の幅Ｓ１（図１）以下になるような配置状態で、且つ、収納仕切部材３０の端部が直線仕切部材２０の仕切上部２１に突き当たるような所定の配置状態に設置されて、図示しない緑化ユニット１０に直線仕切部材２０が固定されると共に、人工地盤１００に対して収納仕切部材３０が固定される。尚、交点Ｐ２の角度βが略９０°というのは、図７（ａ）（ｂ）における収納仕切部材３０端部と直線仕切部材２０の緑化エリア１側の端面との突き当て部分に、目立った隙間が形成されない程度の幅を許容するものである。
【００６９】  そして、図７（ｃ）（ｄ）に示すように、このような配置状態で直線仕切部材２０及び収納仕切部材３０を固定したコーナー仕切構造３に対して、コーナー部材４０を被せて固定する。このとき、コーナー部材４０は、直線仕切部材２０に対しては、仕切上部２１の上側にコーナー上部４１の一部が配置されると共に、仕切側部２２の外側にコーナー側部４２の一部が配置される。また、コーナー部材４０は、収納仕切部材３０に対しては、仕切上部３３の上側にコーナー上部４１の一部が配置されると共に、仕切側部３４の外側にコーナー側部４２の一部が配置される。そして、コーナー部材４０は、コーナー上部４１に設けられたビス孔４３に通したビス４４を直線仕切部材２０の仕切上部２１と収納仕切部材３０の仕切上部３３とに螺合することで、直線仕切部材２０に固定される。
【００７０】  尚、コーナー部材４０は、直線仕切部材２０の端部と収納仕切部材３０の端部の両方に固定しても良いし、どちらか一方にのみ固定しても良く、両方に固定するのであれば、直線仕切部材２０の端部と収納仕切部材３０の端部とをコーナー部材４０によって屈曲連結することができ、踏圧や風圧といった外力に対するコーナー仕切構造３の強度を向上することができるし、一方にのみ固定するのであれば、施工性に優れるという利点がある。また、直線仕切部材２０や収納仕切部材３０に対するコーナー部材４０の固定は、コーナー側部４２にビス孔を設けて、直線仕切部材２０の仕切側部２２や収納仕切部材３０の仕切側部３４にビスを螺合しても良いし、接着剤で固定しても良いし、係合用の凹凸を予め形成しておいても良く、適宜選択できるものとする。
【００７１】  このようにして、コーナー仕切構造３では、収納仕切部材３０の端部が直線仕切部材２０の仕切上部２１に突き当たる必要がある点において、この収納仕切部材３０の配置状態は所定位置に決定されてしまうものの、コーナー部材４０のコーナー上部４１によって直線仕切部材２０の仕切上部２１の端部が平面視で隠される範囲内、且つ、コーナー部材４０のコーナー側部４２によって直線仕切部材２０の仕切側部２２の端部の少なくとも上部が側面視で隠される範囲内、且つ、直線仕切部材２０と収納仕切部材３０とが９０°程度の角度で配置される範囲内において、直線仕切部材２０を任意の配置状態で緑化ユニット１０に固定することができ、そのようにして固定された直線仕切部材２０と収納仕切部材３０とに対してコーナー部材４０を被せて固定するだけの簡易な作業で施工が完了する。
【００７２】  従って、コーナー仕切構造３において、直線仕切部材２０の長さを変更したり直線仕切部材２０と収納仕切部材３０との高さを厳密に合わせたり、端部形状を４５°等の所定角度に加工したり、収納仕切部材３０と直線仕切部材２０とを見栄え良く嵌合させるため、収納仕切部材３０に切り欠き加工したりする等の、コーナー部分での直線仕切部材２０の端部と収納仕切部材３０の端部と配置状態を調整するための手間をかけること無く、直線仕切部材２０を緑化ユニット１０に固定することができると共に、収納仕切部材３０を人工地盤１００に固定できる。そして、直線仕切部材２０と収納仕切部材３０とを固定した後には、それらの端部間にコーナー部材４０を架け渡すように被せて固定するだけの簡易な作業で、見栄えの良い緑化エリア仕切構造を簡易に提供することができる。
【００７３】  また、例えば、緑化エリア仕切構造を一度設置した後の再調整や、緑化エリア仕切構造を仮設置してから本設置するような施工をする場合に、直線仕切部材２０にコーナー部材４０が被さっている範囲内において、緑化エリア仕切構造を簡易に設置し直すことができる。
【００７４】  かかる構成に加え、コーナー仕切構造３では、コーナー部材４０の直線仕切部材２０及び／又は収納仕切部材３０への固定状態において、上述のコーナー仕切構造２における間隙８０と同様の間隙８１が形成されている。従って、この間隙８１が、緑化エリア１内の余剰水を排出する排水部として機能する。また、この間隙８１は、緑化エリア１内を吹き抜ける風による風圧が集中し易いコーナー部分において、この風圧を逃がす通風部としても機能するため、緑化エリア仕切構造の耐風圧性能を向上することもできる。
【００７５】  尚、この第二実施形態のコーナー仕切構造３においては、直線仕切部材２０と人工地盤１００の間の間隙７０と、コーナー部材４０と人工地盤１００の間の間隙８１との両方が形成されている実施形態を示しているが、少なくとも一方が形成されていれば良いものである。
【００７６】〔第三実施形態のコーナー仕切構造〕
次に、第三実施形態のコーナー仕切構造４について、図２、図８及び図９を用いて説明する。この第三実施形態のコーナー仕切構造４は、図２（ａ）に示すように、緑化エリア仕切構造の出隅部分であり、一対の収納仕切部材３０の端部間にコーナー部材５０を架け渡すように被せて構成されている。
【００７７】  コーナー部材５０は、図８に示すように、コーナー部材４０と同構成であるものの、収納仕切部材３０に合わせた大きさとなっている。すなわちコーナー部材５０は、緑化エリア１側（すなわち緑化ユニット１０が設置されている方向）に収納仕切部材３０の仕切上部３３の幅以上の幅に延設された平面視略Ｌ字形のコーナー上部５１と、このコーナー上部５１の非緑化エリア側の端部から屈曲して略９０°下方に延設される平面視略Ｌ字形のコーナー側部５２とを有しており、例えば鉄やアルミ、ガルバリウム等の金属板を折り曲げ加工やプレス成型したり、アルミ押出成形部材を組み合わせたり、硬質で弾性を有する高分子樹脂等で一体的に形成したり、木材やＦＲＰ（Ｇｌａｓｓ  ｆｉｂｅｒ  ｒｅｉｎｆｏｒｃｅｄ  ｐｌａｓｔｉｃｓ）等の部材を複数組み合わせる等して形成されている。
【００７８】  コーナー仕切構造４において一対の収納仕切部材３０は、図９（ａ）（ｂ）に示すように、例えば、それぞれの仕切側部３４の延長線同士が交わる交点Ｐ３の角度γが略９０°になるように、且つ、交点Ｐ３から一対の収納仕切部材３０それぞれまでの距離Ｌ４・Ｌ５がコーナー側部５２の内壁の幅Ｓ２（図８）以下になるような配置状態で、人工地盤１００に対して固定される。尚、交点Ｐ３の角度γが略９０°というのは、一対の収納仕切部材３０の端部間にコーナー部材５０を被せたときに、平面視においてコーナー上部５１の緑化エリア１側から仕切上部３３や収納ベース３１の端がはみ出さない程度の角度範囲を含むものである。換言すれば、一対の収納仕切部材３０の端部間にコーナー部材５０を被せたときに、平面視においてコーナー上部５１の緑化エリア１側から仕切上部３３や収納ベース３１の端がはみ出さない程度であれば、交点Ｐ３の角度γが９０°以外の角度であっても良く、この点において、コーナー仕切構造３の自由度はとても高い。
【００７９】  そして、図９（ｃ）（ｄ）に示すように、このような配置状態で人工地盤１００に固定した収納仕切部材３０に対して、その端部間に架け渡すようにコーナー部材５０を被せて固定する。このとき、コーナー部材５０は、収納仕切部材３０の仕切上部３３の上側にコーナー上部５１の一部が配置されると共に、収納仕切部材３０の仕切側部３４の外側にコーナー側部５２の一部が配置され、コーナー上部５１に設けられたビス孔５３に通したビスを収納仕切部材３０の仕切上部３３に螺合することで、収納仕切部材３０に固定される。尚、上述の第一実施形態および第二実施形態と同様、コーナー部材５０は、一対の収納仕切部材３０の少なくとも一方に固定されていれば良く、その固定位置や方法も適宜である。
【００８０】  このようにして、コーナー仕切構造４では、コーナー部材５０のコーナー上部５１によって収納仕切部材３０の仕切上部３３の端部が平面視で隠される範囲内、且つ、コーナー部材５０のコーナー側部５２によって収納仕切部材３０の仕切側部３４の端部の少なくとも上部が側面視で隠される範囲内、且つ、一対の収納仕切部材３０同士が９０°程度の角度で配置される範囲内において、一対の収納仕切部材３０を任意の配置状態で人工地盤１００に固定することができると共に、そのようにして固定された一対の収納仕切部材３０に対してコーナー部材５０を被せて固定するだけの簡易な作業で施工が完了する。
【００８１】  従って、コーナー仕切構造４において、収納仕切部材３０の長さを変更したり、配置を精度良く動かしたり、一対の収納仕切部材３０同士の相互間の角度を厳密に９０°に合わせたり、高さを厳密に合わせたり、端部形状を４５°等の所定角度に加工したりする等の、コーナー部分での収納仕切部材３０の端部同士の配置状態を調整するための手間をかけること無く、収納仕切部材３０を人工地盤１００に固定することができると共に、収納仕切部材３０を固定した後には、一対の収納仕切部材３０の端部間にコーナー部材５０を架け渡すように被せて固定するだけの簡易な作業で、見栄えの良い緑化エリア仕切構造を簡易に提供することができる。
【００８２】  また、例えば、緑化エリア仕切構造を一度設置した後の再調整や、緑化エリア仕切構造を仮設置してから本設置するような施工をする場合に、収納仕切部材３０の端部にコーナー部材５０が被さっている範囲内において、緑化エリア仕切構造を簡易に設置し直すことができる。
【００８３】  尚、例えば、緑化エリア仕切構造の仮設置状態において、一対の収納仕切部材３０の端部間にコーナー部材５０を被せられない程に収納仕切部材３０同士の配置状態がずれている場合、コーナー部材５０を被せられる程度に収納仕切部材３０を切断すれば良い。すなわち、収納仕切部材３０の長さを所望の緑化エリア１の形状に厳密に合わせて切断するような手間をかける必要はなく、コーナー部材５０が被さる範囲内に収まるように大まかに切断すれば良いため、このように切断を介した作業をする場合であっても作業性に優れるという利点がある。
【００８４】  かかる構成に加え、コーナー仕切構造４では、コーナー部材５０の収納仕切部材３０への固定状態においてコーナー側部５２と人工地盤１００との間に間隙８２が形成されるように、コーナー側部５２の高さが設定されている。このとき、一対の収納仕切部材３０それぞれが人工地盤１００へ固定されているため、この間隙８２は、コーナー側部５２と人工地盤１００との間、且つ、収納仕切部材３０の端部同士の間に形成され、緑化エリア１内の余剰水を排出する排水部として機能すると共に、緑化エリア１内を吹き抜ける風による風圧が集中し易いコーナー部分において、この風圧を逃がす通風部としても機能するため、緑化エリア仕切構造の排水性能及び耐風圧性能を向上することもできる。
【００８５】  〔実施形態の変形例及び他の実施形態等〕
本明細書開示の発明は、各発明や各実施形態の構成の他に、適用可能な範囲で、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものをも含み、下記の変形例等も包含する。
【００８６】  例えば、上述の第一及び第二実施形態のコーナー部材４０において、コーナー上部４１及びコーナー側部４２を平面視略９０°屈曲のＬ字形に形成すると共に、コーナー上部４１の端部からコーナー側部４２を略９０°下方に延設するようにした場合について述べたが、本発明はこれに限らず、例えば図１０に示すように、平面視で９０°より大きい角度に屈曲したＬ字形のコーナー上部６０ａ及びコーナー側部６０ｂを有するコーナー部材６０であっても良いし、例えば図１１に示すように、平面視で円弧形状のコーナー上部６１ａ及びコーナー側部６１ｂを有するコーナー部材６１であっても良いし、例えば図１２に示すように、コーナー上部６２ａとコーナー側部６２ｂとが断面視で一連の略円弧形状の一部を形成し明確な境目を有さないようなコーナー部材６２であっても良い。
【００８７】  尚、図１１に示すコーナー部材６１は、コーナー側部６１ｂの下端の一部から下方に突起６１ｃが形成されており、この部分だけコーナー側部６１ｂの高さが高くなっている。この突起６１ｃは、コーナー部材６１が直線仕切部材２０に固定された状態において人工地盤１００と当接するように設けられている。従って、直線仕切部材２０へコーナー部材６１を固定した状態において、突起６１ｃの両側部分に排水用及び通気用の間隙が形成される。すなわち、コーナー部材のコーナー側部の一部において高さが異なっていても良いし、その結果として、コーナー側部の下端が、人工地盤から全て離間していても一部のみが離間していても良い。
【００８８】  また、図１２に示すコーナー部材６２は、仕切上部と仕切側部とが断面視で一連の略円弧形状の一部を形成し明確な境目を有さないような直線仕切部材に対して用いることが好適である。すなわち、コーナー部材の形状は、被覆対称である直線仕切部材や収納仕切部材の断面形状に合わせて形成されていれば、上述の第一乃至第三の実施形態と同様の効果を得ることができるものである。
【００８９】  さらに、上述の第一及び第二実施形態において、コーナー部材１０のコーナー上部４１やコーナー側部４２を薄板形状にした場合について述べたが、本発明はこれに限らず、コーナー上部４１やコーナー側部４２に、補強リブを兼ねた凹凸状の意匠が施された部材を適用しても良いし、コーナー上部４１やコーナー側部４２を、厚い部材で形成しても良いし、さらには、直線仕切部材２０の仕切上部２１に係合するような突片をコーナー上部４１の緑化エリア１側の端部から下方に延設するようにしても良い。また、コーナー側部４２は、コーナー上部４１の非緑化エリア側の端部から下方に延設されるような場合について述べたが、直線仕切部材２０の仕切上部２１の上にコーナー上部４１が配置され、仕切側部２２の外側にコーナー側部４２が配置されるのであれば、コーナー部材４０におけるコーナー上部４１とコーナー側部４２の構成は適宜である。
【００９０】  また、上述の第一乃至第三実施形態において、緑化エリア１の出隅のコーナー仕切構造に対して出隅用のコーナー部材４０及びコーナー部材５０を適用するようにした場合について述べたが、本発明はこれに限らず、図１３に示すような入隅用のコーナー部材６４を入隅のコーナー仕切構造に対して適用しても良い。このコーナー部材６４は、緑化エリア１側に直線仕切部材２０の仕切上部２１以上の幅に延設された平面視略９０°屈曲のＬ字形のコーナー上部６４ａと、このコーナー上部６４ａの非緑化エリア側の端部から屈曲して略９０°下方に延設される平面視略９０°屈曲のＬ字形のコーナー側部６４ｂとを有する入隅用途に形成されており、図１４に示すような入隅のコーナー仕切構造５に被せられる。
【００９１】  具体的には、このコーナー仕切構造５は、図１４（ａ）（ｂ）に示すように、例えば、一対の直線仕切部材２０それぞれの仕切側部２２の延長線同士が交わる交点Ｐ４の角度δが略９０°になるように、且つ、交点Ｐ４から一対の直線仕切部材２０それぞれまでの距離Ｌ６・Ｌ７がコーナー上部６４ａの長さＳ３（図１３）以下になるような配置状態で、図示しない緑化ユニット１０に対して固定される。そして、図１４（ｃ）（ｄ）に示すように、このような入隅の配置状態で緑化ユニット１０に固定した直線仕切部材２０の端部間に架け渡すようにして、コーナー部材６４を被せて固定する。
【００９２】  このとき、コーナー部材６４は、直線仕切部材２０の仕切上部２１の上側にコーナー上部６４ａの一部が配置されると共に、直線仕切部材２０の仕切側部２２の外側にコーナー側部６４ｂの一部が配置される。従って、緑化エリア１の入隅部分において、このような入隅用途のコーナー部材６４を用いることで、上述の第一実施形態と同様の効果を得ることができる。
【００９３】  尚、このコーナー部材６４のコーナー側部６４ｂの高さは、人工地盤１００から離間している直線仕切部材２０の仕切側部２２よりもさらに人工地盤１００から離間するように形成されており、その結果として、一対の直線仕切部材２０の仕切側部２２とおコーナー側部６４ｂと人工地盤１００との間に、上述の第一実施形態の間隙８０よりも大きな間隙８３（すなわち、この間隙８３の両側の間隙７０よりも大きな間隙）が形成されており、その分だけ、排水や通風の機能が向上している。
【００９４】  一方、このコーナー部材６４を、直線仕切部材２０の端部と収納仕切部材３０の端部とが入隅状態に配置されたコーナー仕切構造６に対して適用しても良い。具体的には、このコーナー仕切構造６において、直線仕切部材２０及び収納仕切部材３０は、図１５（ａ）（ｂ）に示すように、例えば、仕切側部２２の延長線が仕切側部３４の端部に交わる交点Ｐ５の角度εが略９０°になるように、且つ、交点Ｐ５から直線仕切部材２０までの距離Ｌ８がコーナー側部６４ｂの長さＳ３（図１３）以下になるような配置状態で、図示しない緑化ユニット１０に直線仕切部材２０が固定されると共に、人工地盤１００に対して収納仕切部材３０が固定される。
【００９５】  そして、図１５（ｃ）（ｄ）に示すように、このような入隅の配置状態で固定された直線仕切部材２０と収納仕切部材３０とに対して、その端部間に架け渡すようにコーナー部材６４を被せて固定する。このとき、コーナー部材６４は、直線仕切部材２０に対しては、仕切上部２１の上側にコーナー上部６４ａの一部が配置されると共に、仕切側部２２の外側にコーナー側部６４ｂの一部が配置される。また、コーナー部材６４は、収納仕切部材３０に対しては、仕切上部３３の上側にコーナー上部６４ａの一部が配置されると共に、仕切側部３４の外側にコーナー側部６４ｂの一部が配置される。そして、コーナー部材６４のコーナー側部６４と人工地盤１００との間で、且つ、直線仕切部材２０の仕切側部２２と収納仕切部材３０の仕切側部３４との間に、排水用および通風用の間隙８５が形成される。従って、緑化エリア１の入隅部分において、このような入隅用途のコーナー部材６４を用いることで、上述の第二実施形態と同様の効果を得ることができる。
【００９６】  さらに、上述の第一乃至第三実施形態において、コーナー部材のコーナー側部の下端と人工地盤との間に排水用及び通気用の間隙を形成するようにした場合について述べたが、本発明はこれに限らず、例えば図１６に示すように、上述の第三実施形態のコーナー部材５０のコーナー上部５１の幅を非緑化エリア側に僅かに拡張し、コーナー部材５０のコーナー側部５２と収納仕切部材３０の仕切側部３４との間に間隙８４を形成するようにして、この間隙８４を排水用及び通気用として用いても良い。換言すれば、この間隙８４は、一対の収納仕切部材３０の端部間とコーナー部材５０と人工地盤１００との間に形成されたものである。尚、図１６において間隙８４は、コーナー側部５２の全体が仕切側部３４から離間するように形成しているが、その限りではなく、例えばコーナー側部５２の下端部分のみを仕切側部３４から離間するように形成したり、コーナー側部５２が上端から下端にかけてテーパー状に離間していくように形成したり、その形状は適宜選定することも可能である。
【００９７】  さらに、上述の第一実施形態において、同じ直線仕切部材２０（すなわち、同じ幅の仕切上部２１を有する直線仕切部材２０）の端部同士にコーナー部材４０を被せるようにした場合について述べたが、本発明はこれに限らず、異なる幅の直線仕切部材の端部間に、それぞれの直線仕切部材の幅に合わせたコーナー部材を被せるようにしても良い。
【００９８】  具体的に言えば、図１７（ａ）（ｂ）に示すように、直線仕切部材２０の端部と収納仕切部材３０の端部とが略９０°の角度で突き合わされるようなコーナー仕切構造７に対し、直線仕切部材２０側がコーナー部材４０と同構成で、且つ、収納仕切部材３０側がコーナー部材５０と同構成のコーナー部材６５を被せるようにしても良い。すなわち、図１７（ｃ）（ｄ）に示すように、このコーナー部材６５は、平面視略Ｌ字形に全体が形成され、そのＬ字を形成する二片のうち一方の突片が、コーナー部材５０のコーナー上部５１よりも幅が狭いコーナー上部４１（幅狭コーナー上部）とこのコーナー上部４１の非緑化エリア側の端部から下方に延設されたコーナー側部４２（コーナー第二側部）とを有しており、もう一方の突片が、コーナー部材４０のコーナー上部４１よりも幅が広いコーナー上部５１（幅広コーナー上部）と、このコーナー上部５１の非緑化エリア側の端部から下方に延設されたコーナー側部５２（コーナー第一側部）とを有しており、このような非対称なコーナー部材６５を被せる際にも、上述の第一実施形態と同様の効果を得ることができる。
【００９９】  さらに、上述の第二実施形態において、幅狭仕切上部（直線仕切部材２０）の端部と幅広仕切上部（収納仕切部材３０）の端部との間にコーナー部材４０を架け渡すようにした場合について述べたが、本発明はこれに限らず、同じ幅の直線仕切部材の端部間に、幅の異なる仕切上部を有するコーナー部材を被せるようにしても良い。
【０１００】  具体的に言えば、図１８（ａ）（ｂ）に示すように、一対の直線仕切部材としての収納仕切部材３０が略９０°の角度で突き合わされているコーナー部分に対し、図１７において述べたコーナー部材６５を架け渡すように被せる場合等が該当する。
【０１０１】  この場合、コーナー部材６５のコーナー上部４１（幅狭コーナー上部）が被さる方の収納仕切部材３０（他方の収納仕切部材３０）は、その端部を一方の収納仕切部材３０の仕切上部３３に突き当たる必要がある点において配置状態は所定位置に決定されてしまうものの、コーナー上部５１（幅広コーナー上部）が被さる方の収納仕切部材３０（一方の収納仕切部材３０）に関しては、コーナー部材６５のコーナー上部５１（幅広コーナー上部）によって一方の収納仕切部材３０の仕切上部３３の端部が平面視で隠される範囲内、且つ、コーナー側部５２（コーナー第一側部）によって一方の収納仕切部材３０の仕切側部３４の端部の少なくとも上部が側面視で隠される範囲内、且つ、一方の収納仕切部材３０と他方の収納仕切部材３０とが９０°程度の角度で配置される範囲内において、一方の収納仕切部材３０を任意の配置状態で人工地盤１００に固定することができる。そして、結果として、上述の第二実施形態と同様の効果を得ることができる。尚、この一対の収納仕切部材３０は同構成であるため、それぞれの仕切上部３３の幅は基本的に同一であるものの、設計誤差や製造誤差の影響により多少のずれがある。
【０１０２】  さらに、上述の第一乃至第三実施形態において、直線仕切部材２０を緑化ユニット１０に直接固定し、収納仕切部材３０を人工地盤１００に直接固定するようにした場合について述べたが、本発明はこれに限らない。具体的に言うと、緑化ユニット１０への直線仕切部材２０の固定は、間に高さ調整用の嵩上げ材等の別部材を介在させた間接的な固定であっても良いし、収納仕切部材３０は、人工地盤１００上の防水シート・防根シート・ウッドデッキ等の別部材を介在させた状態で間接的に固定しても良い。すなわち、緑化ユニット１０への直線仕切部材２０の固定や人工地盤１００への収納仕切部材３０の固定は、直接的な固定でも別部材を間に介した間接的な固定でもどちらでも良いものとする。また、直線仕切部材２０を人工地盤１００へ固定できるような構造にして人工地盤１００に固定しても良いし、収納仕切部材３０を緑化ユニット１０へ固定するようにしても良い。
【０１０３】  さらに、上述の第一乃至第三実施形態において、収納仕切部材３０の収納ベース３１を人工地盤１００に対して断続的に固定するようにした場合について述べたが、本発明はこれに限らず、連続的に固定するようにしても良い。
【０１０４】  さらに、上述の第一実施形態において、コーナー部材４０のコーナー上部４１の幅を、直線仕切部材２０の仕切上部２１の幅以上にするようにした場合について述べたが、本発明はこれに限らず、平面視においてコーナー上部４１から仕切上部２１がはみ出して見えても良いのであれば、コーナー部材４０のコーナー上部４１を、直線仕切部材２０の仕切上部２１の幅より小さく設定しても良い。具体的には、平面視においてコーナー上部４１から仕切上部２１がはみ出して見えても、美観が損なわれないようなデザインである場合等が考えられる。収納仕切部材３０の仕切上部３３に対するコーナー部材５０のコーナー上部５１の幅に関しても同様である。
【産業上の利用可能性】
【０１０５】  本発明のコーナー部材は、建築物の屋上、屋根、ベランダ等の人工地盤上に形成する緑化エリアと非緑化エリアとを仕切る緑化エリア仕切構造のコーナー部分に利用することができる。
【符号の説明】
【０１０６】１…緑化エリア
２、３、４、５、６、７…コーナー仕切構造
１０…緑化ユニット
１１…植栽部
１２…貯水部
２０…直線仕切部材
３０…収納仕切部材
４０、５０、６０、６１、６２、６４、６５…コーナー部材
８０、８１、８２、８３、８４、８５…間隙
【図１】
2013123433.tif 000003
【図２】
2013123433.tif 000004
【図３】
2013123433.tif 000005
【図４】
2013123433.tif 000006
【図５】
2013123433.tif 000007
【図６】
2013123433.tif 000008
【図７】
2013123433.tif 000009
【図８】
2013123433.tif 000010
【図９】
2013123433.tif 000011
【図１０】
2013123433.tif 000012
【図１１】
2013123433.tif 000013
【図１２】
2013123433.tif 000014
【図１３】
2013123433.tif 000015
【図１４】
2013123433.tif 000016
【図１５】
2013123433.tif 000017
【図１６】
2013123433.tif 000018
【図１７】
2013123433.tif 000019
【図１８】
2013123433.tif 000020